(57)【要約】【課題】深夜時間帯内に沸き上げ運転を確実に完了する上で有利になるヒートポンプ給湯機を提供する。【解決手段】ヒートポンプ給湯機は、水を加熱するヒートポンプサイクルを有し、加熱能力を調整可能な加熱手段と、貯湯タンク１１と、加熱手段により加熱された湯を貯湯タンク１１に貯める沸き上げ運転を制御する制御手段と、を備える。深夜時間帯における沸き上げ運転は、加熱能力の値が異なる複数の運転モードを含む。深夜時間帯における沸き上げ運転のときに、制御手段は、深夜時間帯における沸き上げ運転で生成する熱量である沸き上げ必要熱量が少ない場合の加熱能力よりも、沸き上げ必要熱量が多い場合の加熱能力が大きくなるように制御する。制御手段は、深夜時間帯における沸き上げ運転の加熱能力が昼間時間帯における沸き上げ運転の加熱能力よりも大きくなるように制御する。【選択図】図１
2020091092.tif 000002
【特許請求の範囲】
【請求項１】
水を加熱するヒートポンプサイクルを有し、加熱能力を調整可能な加熱手段と、
貯湯タンクと、
前記加熱手段により加熱された湯を前記貯湯タンクに貯める沸き上げ運転を制御する制御手段と、
を備え、
深夜時間帯における前記沸き上げ運転は、前記加熱能力の値が異なる複数の運転モードを含み、
前記深夜時間帯における前記沸き上げ運転のときに、前記制御手段は、前記深夜時間帯における前記沸き上げ運転で生成する熱量である沸き上げ必要熱量が少ない場合の前記加熱能力よりも、前記沸き上げ必要熱量が多い場合の前記加熱能力が大きくなるように制御し、
前記制御手段は、前記深夜時間帯における前記沸き上げ運転の前記加熱能力が昼間時間帯における前記沸き上げ運転の前記加熱能力よりも大きくなるように制御するヒートポンプ給湯機。
【請求項２】
前記制御手段は、前記深夜時間帯における前記沸き上げ運転の前記加熱能力が、前記沸き上げ必要熱量を前記深夜時間帯内で生成することができる値となるように制御する請求項１に記載のヒートポンプ給湯機。
【請求項３】
前記制御手段は、前記加熱能力を、定格加熱能力を超える値に設定可能である請求項１または請求項２に記載のヒートポンプ給湯機。
【請求項４】
前記昼間時間帯における前記沸き上げ運転は、前記加熱能力の値が異なる複数の運転モードを含む請求項１から請求項３のいずれか一項に記載のヒートポンプ給湯機。
【請求項５】
前記加熱手段は、冷媒を圧縮する圧縮機を有し、
前記制御手段は、前記深夜時間帯における前記沸き上げ運転の開始時における前記圧縮機の回転数が、当該沸き上げ運転において前記加熱手段から流出する湯の温度である沸き上げ温度が目標温度に達した後の前記圧縮機の回転数よりも高くなるように制御する請求項１から請求項４のいずれか一項に記載のヒートポンプ給湯機。
【請求項６】
前記制御手段は、前記深夜時間帯における前記沸き上げ運転での総消費電力量が、前記昼間時間帯における前記沸き上げ運転での総消費電力量よりも大きくなるように制御する請求項１から請求項５のいずれか一項に記載のヒートポンプ給湯機。
【請求項７】
前記貯湯タンクの上側の部分を覆う上部断熱材と、
前記上部断熱材よりも下側の位置で前記貯湯タンクを覆う下部断熱材と、
を備え、
前記上部断熱材の熱通過率は、前記下部断熱材の熱通過率よりも小さい請求項１から請求項６のいずれか一項に記載のヒートポンプ給湯機。
【請求項８】
深夜時間帯モードを設定可能とする設定手段を備え、
前記深夜時間帯モードが設定された場合には、前記深夜時間帯における前記沸き上げ運転において、前記制御手段は、前記加熱能力を最高の加熱能力とするとともに、前記加熱手段から流出する湯の温度である沸き上げ温度が所定の最高温度になるように制御する請求項１から請求項７のいずれか一項に記載のヒートポンプ給湯機。
【請求項９】
前記沸き上げ運転のときの前記加熱能力に関する情報を使用者に報知する報知手段を備える請求項１から請求項８のいずれか一項に記載のヒートポンプ給湯機。
【請求項１０】
前記加熱能力の値が異なる複数の運転モードを有効にするか無効にするかを選択可能な選択手段を備える請求項１から請求項９のいずれか一項に記載のヒートポンプ給湯機。
【発明の詳細な説明】
【技術分野】
【０００１】
本発明は、ヒートポンプ給湯機に関する。
【背景技術】
【０００２】
下記特許文献１に開示された従来のヒートポンプ給湯機では、深夜時間帯における沸き上げ運転のときの加熱能力が、昼間時間帯における加熱能力と略同等以下となるように設定されている。
【先行技術文献】
【特許文献】
【０００３】
【特許文献１】特開２０１７−７２２６５号公報
【発明の概要】
【発明が解決しようとする課題】
【０００４】
特許文献１の給湯機は、深夜時間帯の沸き上げ運転の加熱能力を小さくして運転する。そのため、深夜時間帯に湯の利用が発生し、深夜時間帯における沸き上げ湯量が増えた場合に、深夜時間帯内で必要湯量の沸き上げを完了できない可能性がある。夜間に熱を蓄える夜間蓄熱機器の利用者向けの電力料金では、夜間よりも昼間の方が単位電力当たりの料金が高い。このため、ヒートポンプ給湯機の利用者の電力料金が増加する可能性がある。
【０００５】
また、従来技術では、加熱能力を小さくした場合には同一熱量を沸き上げる時の沸き上げ時間が増加することを考慮していない。つまり、沸き上げ開始から沸き上げ完了時までのタンクから外気への放熱を考慮していないことになる。よって、加熱能力を小さくすると、ヒートポンプ給湯機で加熱、生成した熱量は同一であっても、沸き上げ完了後のタンクの蓄熱量が低くなる。
【０００６】
本発明は、上述のような課題を解決するためになされたもので、深夜時間帯内に沸き上げ運転を確実に完了する上で有利になるヒートポンプ給湯機を提供することを目的とする。
【課題を解決するための手段】
【０００７】
本発明に係るヒートポンプ給湯機は、水を加熱するヒートポンプサイクルを有し、加熱能力を調整可能な加熱手段と、貯湯タンクと、加熱手段により加熱された湯を貯湯タンクに貯める沸き上げ運転を制御する制御手段と、を備え、深夜時間帯における沸き上げ運転は、加熱能力の値が異なる複数の運転モードを含み、深夜時間帯における沸き上げ運転のときに、制御手段は、深夜時間帯における沸き上げ運転で生成する熱量である沸き上げ必要熱量が少ない場合の加熱能力よりも、沸き上げ必要熱量が多い場合の加熱能力が大きくなるように制御し、制御手段は、深夜時間帯における沸き上げ運転の加熱能力が昼間時間帯における沸き上げ運転の加熱能力よりも大きくなるように制御するものである。
【発明の効果】
【０００８】
本発明によれば、深夜時間帯内に沸き上げ運転を確実に完了する上で有利になるヒートポンプ給湯機を提供することが可能となる。
【図面の簡単な説明】
【０００９】
【図１】実施の形態１によるヒートポンプ給湯機を示す全体構成図である。
【図２】実施の形態１によるヒートポンプ給湯機における沸き上げ運転のときの水及び冷媒の流れを示す図である。
【図３】実施の形態１によるヒートポンプ給湯機における深夜時間帯の沸き上げ運転の制御フローチャートである。
【図４】実施の形態１によるヒートポンプ給湯機における一日の沸き上げ運転のパターンの一例を示す図である。
【図５】ヒートポンプユニットの運転特性を示す図である。
【図６】深夜時間帯の沸き上げ運転の運転時間に対する貯湯タンクの蓄熱量の変化を示す図である。
【発明を実施するための形態】
【００１０】
以下、図面を参照して実施の形態について説明する。各図において共通または対応する要素には、同一の符号を付して、重複する説明を簡略化または省略する。なお、本実施の形態では、湯が持っている熱量を、所定温度の湯に換算した湯量として扱う場合がある。すなわち、以下の説明において、湯量との表記は、実質的には熱量を意味する場合がある。
【００１１】
実施の形態１．
図１は、実施の形態１によるヒートポンプ給湯機を示す全体構成図である。図１に示すように、本実施の形態のヒートポンプ給湯機は、水を加熱する加熱手段に相当するヒートポンプユニット１００と、貯湯タンク１１を有する貯湯ユニット２００とを備えた貯湯式のヒートポンプ給湯機である。ヒートポンプユニット１００及び貯湯ユニット２００との間は、水が通る配管１６ａ及び配管１６ｋと、電気配線（図示省略）とを介して接続されている。
【００１２】
ヒートポンプユニット１００は、圧縮機１、水冷媒熱交換器２、膨張弁３及び空気熱交換器４等の機器を有しており、電力により作動する。これらの機器は、配管等により環状に接続され、圧縮機１により冷媒を循環させる冷媒回路１０１を構成している。冷媒回路１０１は、水を加熱するヒートポンプサイクルに相当する。水冷媒熱交換器２は、水と冷媒との間で熱を交換するもので、水の流入口及び流出口を有している。以下の説明では、ヒートポンプユニット１００により加熱された湯を「加熱水」と呼ぶ場合がある。水冷媒熱交換器２は、流入口から流入した水を冷媒により加熱し、流出口から加熱水を流出させる。また、空気熱交換器４は、空気と冷媒との間で熱を交換する。ヒートポンプユニット１００は、外気を空気熱交換器４へ送風するファン５をさらに備えている。なお、以下の説明において、単に「水」または「湯」と記載した場合には、低温の水から、高温の湯まで、あらゆる温度の液体の水が含まれうる。
【００１３】
貯湯ユニット２００内には、貯湯タンク１１のほか、循環ポンプ６ａ、追焚用ポンプ６ｂ、切替弁７、切替弁８、切替弁９、及び切換弁１０などが備えられている。循環ポンプ６ａは、後述の貯湯回路２０１及び追焚回路２０２に水（加熱水を含む）を循環させ、水冷媒熱交換器２の流入口に向けて水を送る。循環ポンプ６ａは、貯湯回路２０１及び追焚回路２０２の一部を構成している。追焚用ポンプ６ｂは、追焚熱交換器１２に向けて、浴槽（図示省略）の水を送る。切替弁７は、例えば、Ａポート、Ｂポート、Ｃポート、及びＤポートの４つのポートを有する電磁駆動式の四方弁等により構成されている。切替弁７は、水冷媒熱交換器２の流出口から流出する加熱水の流路を、切替弁８と、貯湯タンク１１の下部にある低温水戻し口１１ｅとに切り替える切替機構を構成している。また、切替弁７は、貯湯タンク１１の上部にある高温水取出口１１ａから流出した湯を低温水戻し口１１ｅに戻す切替機構を構成している。
【００１４】
切替弁８は、例えば、Ｅポート、Ｆポート、Ｇポート、及びＨポートの４つのポートを有する電磁駆動式の四方弁等により構成されている。切替弁８は、Ｅポートから流入する水の流路を、貯湯タンク１１の中間高さ部分にある追焚戻し口１１ｃと、貯湯タンク１１の上部にある高温水流出入口１１ｂと、追焚熱交換器１２とに切り替える切替機構を構成している。切替弁９は、例えば、Ｉポート、Ｊポート、及びＫポートの３つのポートを有する電磁駆動式の三方弁等により構成されている。切替弁９は、貯湯タンク１１の下部にある取水口１１ｆから流出した水が循環ポンプ６ａを通過して水冷媒熱交換器２へ流入する流路状態と、追焚熱交換器１２から流出した水が循環ポンプ６ａを通過して水冷媒熱交換器２へ流入する流路状態とを切り替える切替機構を構成している。
【００１５】
切換弁１０は、Ｌポート、Ｍポート、及びＮポートの３つのポートを有している。切換弁１０は、貯湯タンク１１の中間高さ部分にある中温水取出口１１ｄから取り出される中温水もしくは、水源に接続された給水端からの低温水を選択し、給湯混合部１５へ流出させる。貯湯タンク１１は、加熱水を貯留する。貯湯タンク１１は、前述した高温水取出口１１ａ、高温水流出入口１１ｂ、追焚戻し口１１ｃ、中温水取出口１１ｄ、低温水戻し口１１ｅ、及び取水口１１ｆのほか、貯湯タンク１１の下部に位置する給水口１１ｇを備えている。給水口１１ｇは、配管１６ｐを介して給水端に接続されている。給水端から供給される低温水が配管１６ｐを通って、貯湯タンク１１内に流入する。
【００１６】
水冷媒熱交換器２の流出口は、配管１６ａを介して切替弁７のＡポートに接続されている。切替弁７のＢポートは、配管１６ｂを介して切替弁８のＥポートに接続されている。切替弁８のＦポートは、配管１６ｃ及び配管１６ｄを介して高温水取出口１１ａに接続されている。また、Ｆポートは、配管１６ｃ及び配管１６ｅを介して追焚熱交換器１２の一次側流入口に接続されている。追焚熱交換器１２の１次側の流出口は、配管１６ｆを介して切替弁９のＪポートに接続されている。また、追焚熱交換器１２の１次側の流出口は、配管１６ｇを介して、中温水取出口１１ｄと切換弁１０のＬポートとの間をつなぐ流路に接続されている。切替弁９のＩポートは、配管１６ｈを介して取水口１１ｆに接続されている。切替弁９のＫポートは、配管１６ｊを介して循環ポンプ６ａの吸込口に接続されている。循環ポンプ６ａの吐出口は、配管１６ｋを介して水冷媒熱交換器２の流入口に接続されている。また、循環ポンプ６ａの吐出口は、配管１６ｌを介して切替弁７のＣポートに接続されている。切替弁７のＤポートは、配管１６ｍを介して低温水戻し口１１ｅに接続されている。切替弁８のＨポートは、配管１６ｎ及び配管１６ｑを介して高温水流出入口１１ｂに接続されている。切替弁８のＧポートは、配管１６ｏを介して追焚戻し口１１ｃに接続されている。
【００１７】
循環ポンプ６ａ、貯湯タンク１１、配管１６ａ，１６ｂ，１６ｈ，１６ｊ，１６ｋ，１６ｎ，１６ｑ、及び切替弁７，８，９は、水冷媒熱交換器２から流出する加熱水を貯湯タンク１１内に貯湯する貯湯回路２０１を構成している。
【００１８】
循環ポンプ６ａ、追焚熱交換器１２、配管１６ｂ，１６ｄ，１６ｅ，１６ｆ，１６ｊ，１６ｌ，１６ｏ、及び切替弁７，８，９は、追焚熱交換器１２により負荷側の加熱対象水を加熱する追焚回路２０２を構成している。
【００１９】
追焚熱交換器１２により加熱される加熱対象水は、前述した浴槽水に限定されるものではなく、例えば、床暖房用の循環水であってもよい。循環ポンプ６ａは、必ずしも貯湯ユニット２００に設置する必要はなく、ヒートポンプユニット１００側に搭載してもよい。また、高温水流出入口１１ｂ、中温水取出口１１ｄ、配管１６ｑ、切換弁１０、及び給湯混合部１５は、貯湯タンク１１から温水を取出して、浴槽あるいは給湯端に給湯する給湯回路２０３を構成している。
【００２０】
本実施の形態では、ヒートポンプユニット１００の冷媒回路１０１の加熱能力を調整可能である。以下の説明では、ヒートポンプユニット１００の冷媒回路１０１の加熱能力を単に「加熱能力」と呼ぶ場合がある。加熱能力は、ヒートポンプユニット１００が時間当たりに水に与える熱量に相当する。加熱能力の単位は、例えばｋＷ（キロワット）である。圧縮機１は、例えばインバータ制御式のＤＣブラシレスモータ等を備えた駆動装置（図示せず）により駆動される。この場合には、当該駆動装置により圧縮機１の回転数を調整することで、圧縮機１から吐出する冷媒の圧力及び温度を変化させたり、加熱能力を変化させたりすることができる。ただし、本開示のヒートポンプ給湯機においては、そのような駆動装置を用いなくてもよく、例えば、ヒートポンプユニット１００に複数台の圧縮機を搭載し、そのうちで稼動する圧縮機の台数を切り替えることで、吐出する冷媒の圧力及び温度、あるいは加熱能力を変化させる構成としてもよい。
【００２１】
また、圧縮機１には、他の構造物を付加してもよい。そのような他の構造物としては、例えば、その吸込側に配置されて冷媒音を低減させるサクションマフラーのような容器と、圧縮機１の吐出側に流出した潤滑油を分離回収する油分離装置とが挙げられる。ヒートポンプユニット１００の冷媒としては、例えば二酸化炭素、Ｒ４１０Ａ、プロパン、プロピレンなどのように、高温出湯が可能な冷媒を用いるのが好ましいが、本開示のヒートポンプ給湯機においては、これらの冷媒に限定されるものではない。
【００２２】
次に、ヒートポンプ給湯機の制御系統について説明する。以下の説明では、水冷媒熱交換器２から流出する加熱水の温度を「沸き上げ温度」と呼ぶ。ヒートポンプユニット１００は、水冷媒熱交換器２に流入する水の温度を検出する入水温度センサ１３ａと、沸き上げ温度を検出する沸き上げ温度センサ１３ｂと、ヒートポンプユニット１００の周囲の外気温度を検出する外気温度センサ１３ｃとを備えている。沸き上げ温度センサ１３ｂは、水冷媒熱交換器２の流出口の近傍に配置されている。また、冷媒回路１０１は、圧縮機１から吐出される冷媒の温度を検出する吐出温度センサ１３ｄと、圧縮機１に吸込まれる冷媒の温度を検出する吸込温度センサ１３ｅと、空気熱交換器４の入口もしくは中間部となる位置で冷媒の温度を検出する蒸発温度センサ１３ｆとを備えている。貯湯ユニット２００には、複数の貯湯温度センサ１３ｇ，１３ｈ，１３ｉ，１３ｊが設けられている。貯湯温度センサ１３ｇ，１３ｈ，１３ｉ，１３ｊは、互いに異なる高さの位置において貯湯タンク１１に設置され、それぞれの設置場所で貯湯タンク１１内の水温を検出する。
【００２３】
本実施の形態のヒートポンプ給湯機は、ヒートポンプユニット１００に搭載された制御装置１４と、貯湯ユニット２００に搭載された制御装置５０を備えている。制御装置１４及び制御装置５０のそれぞれは、マイクロコンピュータ等を備えている。制御装置１４と制御装置５０とは、双方向に通信可能に接続されている。本実施の形態では、制御装置１４と制御装置５０とが連携してヒートポンプ給湯機の動作を制御する。制御装置１４及び制御装置５０は、ヒートポンプユニット１００により加熱された湯を貯湯タンク１１に貯める沸き上げ運転を制御する制御手段に相当している。
【００２４】
以下では、説明の便宜上、制御装置１４及び制御装置５０を総称して単に「制御装置５０」と呼ぶ。すなわち、以下の説明では、制御装置５０が処理を実行するものとして記載するが、いずれの処理についても、制御装置１４が単独で実行してもよいし、制御装置５０が単独で実行してもよいし、制御装置１４と制御装置５０とが連携して実行してもよい。また、制御装置１４及び制御装置５０に代えて例えばリモコン５１が処理を実行してもよい。その場合にはリモコン５１が制御手段に相当する。また、本開示におけるヒートポンプ給湯機の制御手段は、本実施の形態のように複数の制御装置が連携する構成に限らず、単一の制御装置によって構成されるものでもよい。
【００２５】
制御装置５０と、リモコン５１との間は、有線通信または無線通信により、双方向に通信可能である。制御装置５０とリモコン５１とがネットワークを介して通信可能でもよい。リモコン５１は、ユーザーインターフェースの例である。リモコン５１は、情報を表示する表示部５１ａと、使用者が操作する操作部５１ｂとを有する。リモコン５１は、表示部５１ａ及び操作部５１ｂの両方の機能を有するタッチスクリーンを備えてもよい。使用者等の人間は、リモコン５１を操作することで、ヒートポンプ給湯機を遠隔操作したり、各種の設定などを行ったりすることが可能である。表示部５１ａは、使用者等の人間に情報を報知する報知手段としての機能を有する。本実施の形態におけるリモコン５１は、表示部５１ａを報知手段として備えるが、変形例として、例えば音声案内装置のような他の報知手段を備えてもよい。リモコン５１は、例えば台所、リビング、浴室などの壁に設置されたものでもよい。または、例えばスマートフォンのような携帯情報端末がリモコン５１のようなユーザーインターフェースとしての機能を有するように構成してもよい。複数のリモコン５１が制御装置５０に対して通信可能でもよい。
【００２６】
制御装置５０には、ヒートポンプ給湯機が備える各種のセンサの出力と、リモコン５１に対する使用者の操作内容の情報などが入力される。制御装置５０は、これらの入力情報に基づいてヒートポンプユニット１００及び貯湯ユニット２００の動作をそれぞれ制御する。例えば、制御装置５０は、圧縮機１、循環ポンプ６ａ、及び追焚用ポンプ６ｂの運転状態と、膨張弁３の開度と、切替弁７、切替弁８、切替弁９、及び切換弁１０の流路方向あるいは切替位置等を制御する。また、制御装置５０は、後述のように、沸き上げ運転、追焚運転等を実行する。制御装置５０は、沸き上げ運転中に、沸き上げ温度の制御と、冷媒回路１０１の加熱能力の制御とを実行する。
【００２７】
制御装置５０は、外部機器（図示省略）とさらに通信可能に接続されていてもよい。当該外部機器は、例えばＨＥＭＳ（ホームエネルギーマネジメントシステム）コントローラでもよい。
【００２８】
本実施の形態において、深夜時間帯は、他の時間帯に比べて電気料金単価が割安な時間帯である。深夜時間帯は、例えば、２３時から翌朝７時までの時間帯である。昼間時間帯は、深夜時間帯以外の時間帯である。昼間時間帯は、例えば、７時から２３時までの時間帯である。この昼間時間帯は、深夜時間帯に比べて電気料金単価が割高な時間帯となる。ただし、深夜時間帯及び昼間時間帯は、本実施の形態での例に限定されるものではなく、それらの開始時刻及び終了時刻は、電力供給事業者との契約などに応じて変化し得るものである。制御装置５０は、深夜時間帯及び昼間時間帯の開始時刻及び終了時刻の情報を記憶している。制御装置５０は、タイマー機能を有しており、現在の時刻が深夜時間帯にあるか昼間時間帯にあるかを判別できる。また、制御装置５０は、リモコン５１または外部機器から、深夜時間帯及び昼間時間帯の開始時刻及び終了時刻の情報を取得してもよい。
【００２９】
本実施の形態における制御装置５０は、給湯に使用された熱量（以下、「給湯使用熱量」と称する）を算出する給湯熱量算出手段５２を備える。給湯熱量算出手段５２は、給水温度センサ１３ｋが検出する給水温度と、給湯温度センサ１３ｌが検出する給湯温度と、風呂給湯温度センサ１３ｍが検出する給湯温度と、給湯流量センサ１７ａが検出する給湯流量と、風呂給湯流量センサ１７ｂが検出する給湯流量とに基づいて、給湯使用熱量を算出する。給水温度センサ１３ｋが検出する給水温度とは、水源から給水端へ供給された低温水の温度である。給湯温度センサ１３ｌが検出する給湯温度とは、給湯混合部１５から浴槽以外の給湯端へ供給された湯の温度である。風呂給湯温度センサ１３ｍが検出する給湯温度とは、給湯混合部１５から浴槽へ供給された湯の温度である。給湯流量センサ１７ａが検出する給湯流量とは、給湯混合部１５から上記給湯端へ供給された湯の流量である。風呂給湯流量センサ１７ｂが検出する給湯流量とは、給湯混合部１５から浴槽へ供給された湯の流量である。
【００３０】
制御装置５０は、過去所定期間（例えば過去２週間）に給湯熱量算出手段５２により算出された給湯使用熱量に関するデータを記憶することにより、給湯使用熱量を学習する機能を有している。例えば、制御装置５０は、過去所定期間の給湯使用熱量を統計的に処理することにより、給湯使用熱量を学習する。また、制御装置５０は、一日のうちの時間ごとに給湯使用熱量を学習してもよい。
【００３１】
本実施の形態におけるヒートポンプ給湯機は、深夜時間帯モードを設定可能とする設定手段を備えてもよい。例えば、使用者がリモコン５１を操作することによって深夜時間帯モードを設定可能としてもよい。また、制御装置５０が例えばＨＥＭＳコントローラのような外部機器からの指令を受信すると深夜時間帯モードが設定されるように構成してもよい。深夜時間帯モードは、特に電力単価の安い深夜時間帯により多くの熱量を貯湯タンク１１に貯めることで電力料金を安価とするためのモードに相当する。深夜時間帯モードが設定された場合には、深夜時間帯における沸き上げ運転において、制御装置５０は、冷媒回路１０１の加熱能力を所定の最高加熱能力に設定するとともに、沸き上げ温度が所定の最高沸き上げ温度になるように制御する。これにより、深夜時間帯に沸き上げ運転を集中させるため、昼間時間帯での沸き上げ運転が不要な程度の給湯使用量の場合には、ランニングコストの低減が可能となる。なお、最高沸き上げ温度は、例えば９０℃でもよい。
【００３２】
次に、図２を参照しつつ、ヒートポンプ給湯機の沸き上げ運転の動作について説明する。図２は、実施の形態１によるヒートポンプ給湯機における沸き上げ運転のときの水及び冷媒の流れを示す図である。図２に示すように、沸き上げ運転では、冷媒回路１０１及び貯湯回路２０１を作動させることにより、貯湯タンク１１の取水口１１ｆから流出させた低温水を冷媒回路１０１により加熱し、水冷媒熱交換器２の流出口から流出する高温の加熱水を高温水流出入口１１ｂから貯湯タンク１１内に流入させる。
【００３３】
沸き上げ運転について、さらに以下に説明する。冷媒回路１０１では、圧縮機１から吐出された高温高圧のガス冷媒が水冷媒熱交換器２を流通する水に放熱しながら温度低下する。このとき、高圧側冷媒圧力が臨界圧以下であれば、冷媒は液化しながら放熱する。また、水冷媒熱交換器２から流出した高圧低温の冷媒は、膨張弁３を通過することにより低圧気液二相の状態に減圧される。そして、この冷媒は、空気熱交換器４内を流通しつつ外気から吸熱することにより、蒸発してガス化される。空気熱交換器４から流出した低圧冷媒は、圧縮機１に吸込まれて循環するので、この循環により冷凍サイクルすなわちヒートポンプサイクルが形成される。
【００３４】
また、切替弁７により配管１６ａと配管１６ｂとが相互に接続され、切替弁８により配管１６ｂと配管１６ｎとが相互に接続され、切替弁９により配管１６ｈと配管１６ｊとが相互に接続される。これにより、貯湯回路２０１が形成される。そして、循環ポンプ６ａが作動すると、貯湯タンク１１内の水は、取水口１１ｆから配管１６ｈ，１６ｊ，１６ｋを通って水冷媒熱交換器２に導入される。そして、この水は、水冷媒熱交換器２内でガス冷媒により加熱され、加熱水となって水冷媒熱交換器２から流出する。この加熱水は、配管１６ａ，１６ｂ，１６ｎ，１６ｑを通過して高温水流出入口１１ｂから貯湯タンク１１内に流入する。このように、沸き上げ運転が実行されると、貯湯タンク１１の上部が高温水となり下部が低温水となる温度分布状態を維持しつつ、貯湯される。
【００３５】
貯湯タンク１１は、断熱材（図示省略）により覆われている。本実施の形態におけるヒートポンプ給湯機は、貯湯タンク１１の上側の部分を覆う上部断熱材と、上部断熱材よりも下側の位置で貯湯タンク１１を覆う下部断熱材とを備えてもよい。その場合、上部断熱材の熱通過率が下部断熱材の熱通過率よりも小さくなるように構成することが望ましい。上述したように、貯湯タンク１１は上部が高温で下部が低温となる積層式に貯湯される方式であり、貯湯タンク１１の上側の部分の貯湯温度は、貯湯タンク１１の下側の部分の貯湯温度よりも高い。上部断熱材の熱通過率が下部断熱材の熱通過率よりも小さくすることで、貯湯タンク１１の上側の部分の断熱性能を特に高くすることができる。その結果、貯湯タンク１１からの放熱量を低く抑える上でより有利になる。また、下部断熱材の構成を比較的簡単にできるので、コスト低減に有利になる。なお、上部断熱材を下部断熱材よりも厚くすることで上部断熱材の熱通過率が下部断熱材の熱通過率よりも小さくなるようにしてもよいし、下部断熱材の材料（例えば発泡プラスチック）よりも熱伝導率の低い材料（例えば真空断熱材）を上部断熱材に用いることによって上部断熱材の熱通過率が下部断熱材の熱通過率よりも小さくなるようにしてもよい。
【００３６】
次に、沸き上げ運転時に制御装置５０が実行する加熱水の温度制御及び冷媒回路１０１の加熱能力制御について説明する。まず、温度制御とは、沸き上げ温度センサ１３ｂにより検出される沸き上げ温度が所定の目標沸き上げ温度に等しくなるように、循環ポンプ６ａの回転数をフィードバック制御するものである。このフィードバック制御は、例えば、一定の時間間隔で周期的に実行される。沸き上げ運転では、目標沸き上げ温度を所定の貯湯目標温度に設定した状態で貯湯を実行する。すなわち、目標沸き上げ温度は、貯湯目標温度に等しい。例えば、制御装置５０は、貯湯タンク１１の容量との関係において、目標蓄熱量を貯湯タンク１１に貯えることができるように貯湯目標温度すなわち目標沸き上げ温度を設定する。目標蓄熱量は、例えば、リモコン５１の操作内容等に基づいて設定されるか、または過去の給湯使用量などに基づいて算出される。また、制御装置５０は、貯湯目標温度すなわち目標沸き上げ温度が、予め定められた範囲内（例えば、６５〜９０℃）に収まるように設定する。
【００３７】
上記温度制御では、水冷媒熱交換器２に出入りする加熱水の流量を制御するだけなので、温度制御により実現される沸き上げ温度の最高値は、冷媒回路１０１の加熱能力に依存している。従って、冷媒回路１０１には、目標沸き上げ温度が設定範囲内の最大値（上記例では、９０℃）に設定された場合でも、これを実現できるだけの加熱能力が要求される。このため、加熱能力制御では、例えば、貯湯タンク１１内の残湯量すなわち残熱量、外気温度、給水温度等に基づいて上記要求を満たす加熱能力の目標値（目標加熱能力）を設定し、冷媒回路１０１の実際の加熱能力が目標加熱能力に等しくなるように、圧縮機１の回転数等を制御する。このように加熱能力を制御すれば、目標沸き上げ温度の設定及び外部条件がどのように変化した場合でも、要求される沸き上げ温度を安定的に確保することができる。加熱能力制御は、例えば、一定の時間間隔で周期的に実行される。また、圧縮機１の回転数には、耐久性の観点から上限回転数及び下限回転数が設けられている。
【００３８】
また、本開示では、ヒートポンプユニット１００として、例えば冷媒の圧力が臨界圧力以上となる超臨界ヒートポンプユニットだけでなく、臨界圧力以下で作動するヒートポンプユニットを用いてもよい。この場合、冷媒としてはフロンガス、アンモニア等を用いてもよい。
【００３９】
ここで、本実施の形態では、加熱能力は一定ではなく、残湯量が少ない場合は加熱能力を大きくし、短時間で湯を利用できる状態として、使用者の利便性を高める。また、残湯量が多い場合は、加熱能力を小さくし、省エネルギー性を高める。
【００４０】
本実施の形態において、深夜時間帯における沸き上げ運転は、加熱能力の値が異なる複数の運転モードを含む。本実施の形態において、制御装置５０は、深夜時間帯における沸き上げ運転の加熱能力が、昼間時間帯における沸き上げ運転の加熱能力よりも大きくなるように制御する。これにより、深夜時間帯の沸き上げ運転中に使用者が湯を使用することによって残湯量が低減した場合にも、深夜時間帯内で沸き上げ運転を完了させることができる。
【００４１】
以下の説明では、深夜時間帯における沸き上げ運転で生成すべき目標熱量を「沸き上げ必要熱量」と称する。制御装置５０は、沸き上げ必要熱量が比較的少ないときの加熱能力よりも、沸き上げ必要熱量が比較的多いときの加熱能力が大きくなるように制御する。これにより、沸き上げ必要熱量が比較的多いときにも、深夜時間帯内で沸き上げ運転を確実に完了させることができる。
【００４２】
図３は、実施の形態１によるヒートポンプ給湯機における深夜時間帯の沸き上げ運転の制御フローチャートである。制御装置５０は、例えば、深夜時間帯の開始時刻またはその直前に、図３のフローチャートの処理を実行する。制御装置５０は、学習した過去の湯の使用実績と、使用者が設定した条件とに応じて、深夜時間帯の終了時までに貯湯タンク１１に貯めるべき目標蓄熱量を算定する。制御装置５０は、この目標蓄熱量と、現在の貯湯タンク１１内の残熱量との差分から、深夜時間帯の沸き上げ必要熱量を算出する（ステップＳ１）。このとき、貯湯タンク１１内の残熱量は、貯湯温度センサ１３ｇ〜１３ｊで検出する温度の少なくとも１つ以上を用いて算出する。
【００４３】
例えば、貯湯温度センサ１３ｈの検出温度が４０℃以下の場合は、貯湯タンク１１内の残熱量が少ないと判断する。一方で、貯湯温度センサ１３ｈの検出温度が６０℃以上の場合は、貯湯タンク１１内の残熱量が多いと判断する。ここでは、例として、貯湯タンク１１内の残熱量を貯湯温度センサ１３ｈを用いて判断したが、貯湯温度センサ１３ｇから１３ｊのいずれかひとつ以上を用いればよい。
【００４４】
次に、制御装置５０は、ヒートポンプユニット１００が加熱能力Ｑ１で沸き上げ必要熱量を生成するために必要な時間である沸き上げ所要時間ｔ１を算出する（ステップＳ２）。沸き上げ所要時間ｔ１は、例えば、沸き上げ必要熱量を加熱能力Ｑ１で除算した値に基づいて求めることができる。
【００４５】
次に、制御装置５０は、上記の沸き上げ所要時間ｔ１から予測される沸き上げ運転完了時刻が、深夜時間帯の終了時刻（例えば午前７時）に対して所定時間（例えば、１時間）以上早くなるか否かを判定する（ステップＳ３）。沸き上げ所要時間ｔ１から予測される沸き上げ運転完了時刻とは、例えば、深夜時間帯の開始時刻よりも沸き上げ所要時間ｔ１だけ後の時刻である。なお、以下の説明では、深夜時間帯の終了時刻に対して上記所定時間早い時刻を目標終了時刻と称する。
【００４６】
沸き上げ必要熱量が加熱能力Ｑ１に対して適当で、予測される沸き上げ運転完了時刻が深夜時間帯の終了時刻に対して上記所定時間以上早くなる場合には、制御装置５０は、ヒートポンプユニット１００の加熱能力の値をＱ１に設定して沸き上げ運転を行う（ステップＳ４）。この場合、制御装置５０は、目標終了時刻よりも沸き上げ所要時間ｔ１だけ前の時刻に沸き上げ運転を開始してもよい。
【００４７】
これに対し、沸き上げ必要熱量が加熱能力Ｑ１に対して過大であり、予測される沸き上げ運転完了時刻が深夜時間帯の終了時刻に対して上記所定時間以上早くならない場合には、制御装置５０は、ヒートポンプユニット１００が加熱能力Ｑ２で沸き上げ必要熱量を生成するために必要な時間である沸き上げ所要時間ｔ２を算出する（ステップＳ５）。ここで、加熱能力Ｑ２＞加熱能力Ｑ１であり、沸き上げ所要時間ｔ１＞沸き上げ所要時間ｔ２となる。
【００４８】
次に、制御装置５０は、上記の沸き上げ所要時間ｔ２から予測される沸き上げ運転完了時刻が、深夜時間帯の終了時刻に対して上記所定時間以上早くなるか否かを判定する（ステップＳ６）。
【００４９】
沸き上げ必要熱量が加熱能力Ｑ２に対して適当で、予測される沸き上げ運転完了時刻が深夜時間帯の終了時刻に対して上記所定時間以上早くなる場合には、制御装置５０は、ヒートポンプユニット１００の加熱能力の値をＱ２に設定して沸き上げ運転を行う（ステップＳ７）。この場合、制御装置５０は、目標終了時刻よりも沸き上げ所要時間ｔ２だけ前の時刻に沸き上げ運転を開始してもよい。
【００５０】
これに対し、沸き上げ必要熱量が加熱能力Ｑ２に対して過大で、予測される沸き上げ運転完了時刻が深夜時間帯の終了時刻に対して上記所定時間以上早くならない場合は、制御装置５０は、ヒートポンプユニット１００の加熱能力の値をＱ３に設定して沸き上げ運転を行う（ステップＳ８）。ここで、加熱能力Ｑ３＞加熱能力Ｑ２である。加熱能力Ｑ３≒定格加熱能力Ｑ４であってもよい。以下の説明では加熱能力Ｑ３＜定格加熱能力Ｑ４であるものとする。なお、定格加熱能力Ｑ４とは、例えばＪＩＳによる性能評価条件で運転する加熱能力に相当する。
【００５１】
以上説明したように、本実施の形態では、制御装置５０は、深夜時間帯における沸き上げ運転の加熱能力が、深夜時間帯における沸き上げ必要熱量を深夜時間帯内で生成することができる値となるように制御する。すなわち、制御装置５０は、深夜時間帯において、沸き上げ必要熱量が多いほど、加熱能力を大きくして沸き上げ運転を行う。これにより、深夜時間帯内で沸き上げ運転を確実に完了させることができる。
【００５２】
図４は、実施の形態１によるヒートポンプ給湯機における一日の沸き上げ運転のパターンの一例を示す図である。図４は、深夜時間帯の開始時に、図３に示したフローチャートに従って、沸き上げ必要熱量からヒートポンプユニット１００の加熱能力の値がＱ３に決定された場合の例を示している。図４に示す例では、昼間時間帯の沸き上げ運転においては、制御装置５０は、ヒートポンプユニット１００の加熱能力の値がＱ１１あるいはＱ１２となるように制御している。ここで、加熱能力Ｑ１１＜加熱能力Ｑ１２＜加熱能力Ｑ１である。
【００５３】
上記のように、昼間時間帯における沸き上げ運転は、加熱能力の値が異なる複数の運転モードを含むものでもよい。例えば、昼間時間帯における沸き上げ運転において、生成すべき熱量が比較的多いときには加熱能力の値をＱ１２とし、生成すべき熱量が比較的少ないときには加熱能力の値をＱ１１としてもよい。そのようにすることで、加熱能力を必要以上に大きくすることを回避できるので、より高いＣＯＰ（成績係数）で運転することができる。その結果、昼間時間帯の沸き上げ運転時の消費電力量の増加をより確実に抑制することが可能となる。ただし、本開示のヒートポンプ給湯機は、上記の例に限定されるものではなく、昼間時間帯における沸き上げ運転の加熱能力の値が一定値に固定されたものでもよい。
【００５４】
図５は、ヒートポンプユニット１００の運転特性を示す図である。図５は、ヒートポンプユニット１００が同一の仕様であることを前提として、ヒートポンプユニット１００の加熱能力とＣＯＰとの関係を示している。図５に示すように、ヒートポンプユニット１００は、その加熱能力が低くなるほどＣＯＰが高くなる特性を有する。
【００５５】
図４に示した沸き上げ運転パターンの場合、昼間時間帯における沸き上げ運転の加熱能力Ｑ１１及びＱ１２は、深夜時間帯における加熱能力Ｑ３に比べて小さい。このため、昼間時間帯では、高いＣＯＰでヒートポンプユニット１００の沸き上げ運転を実施している。
【００５６】
その一方で、深夜時間帯における沸き上げ運転の加熱能力Ｑ３は、昼間時間帯における沸き上げ運転の加熱能力Ｑ１１及びＱ１２よりも大きい。そのため、深夜時間帯における沸き上げ運転の加熱能力の値を決定した後に湯が使用され、深夜時間帯の沸き上げ必要熱量が増加した場合でも、深夜時間帯のうちに沸き上げ必要熱量の生成を完了することができる。
【００５７】
制御装置５０は、深夜時間帯における沸き上げ運転の加熱能力の値を決定した後に湯が使用された場合には、再び図３のフローチャートの処理を実行することにより、加熱能力の値を再設定してもよい。
【００５８】
なお、定格加熱能力Ｑ４を超える値の加熱能力にしてもヒートポンプユニット１００等が有する機器の制約条件内で運転可能であることが確認されているような場合には、制御装置５０は、ヒートポンプユニット１００の加熱能力を、定格加熱能力Ｑ４を超える値に設定可能としてもよい。その場合において、定格加熱能力Ｑ４を超える値であって、ヒートポンプユニット１００等が有する機器が運転可能な範囲で最大となる加熱能力の値を以下「最大加熱能力」と称する。
【００５９】
ヒートポンプユニット１００の加熱能力を、定格加熱能力Ｑ４を超える値に設定可能である場合には、制御装置５０は、例えば以下のようにしてもよい。図３のステップＳ６からステップＳ８に移行する前に、制御装置５０は、ヒートポンプユニット１００が加熱能力Ｑ３で沸き上げ必要熱量を生成するために必要な時間である沸き上げ所要時間ｔ３を算出する。ここで、沸き上げ所要時間ｔ２＞沸き上げ所要時間ｔ３となる。次に、制御装置５０は、上記の沸き上げ所要時間ｔ３から予測される沸き上げ運転完了時刻が深夜時間帯の終了時刻以前になるか否かを判定する。予測される沸き上げ運転完了時刻が深夜時間帯の終了時刻以前になる場合には、制御装置５０は、ヒートポンプユニット１００の加熱能力の値をＱ３に設定して沸き上げ運転を行う（ステップＳ８）。これに対し、沸き上げ所要時間ｔ３から予測される沸き上げ運転完了時刻が深夜時間帯の終了時刻以前にならない場合には、制御装置５０は、深夜時間帯の終了時刻までに沸き上げ必要熱量を生成するために必要な加熱能力の値を必要加熱能力として算出する。例えば、制御装置５０は、沸き上げ必要熱量を、現在の時刻から深夜時間帯の終了時刻までの時間で除算した値に基づいて、必要加熱能力を算出する。算出された必要加熱能力が定格加熱能力Ｑ４以下である場合には、制御装置５０は、ヒートポンプユニット１００の加熱能力の値をＱ４に設定して沸き上げ運転を行う。これに対し、算出された必要加熱能力が定格加熱能力Ｑ４を超える場合には、制御装置５０は、ヒートポンプユニット１００の加熱能力の値を、最大加熱能力に設定して沸き上げ運転を行う。このようにすることで、深夜時間帯内に沸き上げ運転をより確実に完了することができるので、電力料金の増加をより確実に防止することができる。
【００６０】
図６は、深夜時間帯の沸き上げ運転の運転時間に対する貯湯タンク１１の蓄熱量の変化を示す図である。図６では、沸き上げ必要熱量が等しい場合であって、加熱能力をＱ１にした場合と、加熱能力をＱ２にした場合とを比較している。
【００６１】
深夜時間帯内に沸き上げ必要熱量の生成を完了させるために、加熱能力Ｑ１で運転する場合の方が、加熱能力Ｑ２で運転するよりも沸き上げ運転の開始時刻は早くなる。図６中、実線で示すのは、貯湯タンク１１からの外気への放熱がない理想的な状態での貯湯タンク１１の蓄熱量の変化である。貯湯タンク１１から外気へ放熱がないと仮定した場合には、加熱能力Ｑ１と加熱能力Ｑ２とで、沸き上げ運転の開始時刻は異なるものの、運転時間の経過とともに、貯湯タンク１１の蓄熱量は増加し、沸き上げ運転完了時の貯湯タンク１１の蓄熱量は同等となる。
【００６２】
しかし、実際には貯湯タンク１１から外気への放熱が発生する。図６中、破線で示すのは、貯湯タンク１１から外気への放熱がある状態における貯湯タンク１１の蓄熱量の変化である。貯湯タンク１１から外気へ放熱があるため、運転時間の経過とともに貯湯タンク１１の蓄熱量は増加するが、実線で示す蓄熱量の増加よりも低くなる。また、加熱能力Ｑ２で運転するよりも、加熱能力Ｑ１で運転する場合の運転開始時刻が早いため、加熱能力Ｑ１で運転する場合の放熱量は、加熱能力Ｑ２で運転する場合の放熱量よりも多くなる。そのため、加熱能力Ｑ１よりも加熱能力Ｑ２で運転する方が、沸き上げ運転完了時の貯湯タンク１１の蓄熱量は多くなる。
【００６３】
以上のように、貯湯タンク１１から外気への放熱を考慮すると、深夜時間帯の沸き上げ運転の加熱能力を高くした方が、貯湯タンク１１から外気への放熱量を低くできる点において有利になる。本実施の形態であれば、深夜時間帯における沸き上げ運転の加熱能力が昼間時間帯における沸き上げ運転の加熱能力よりも大きくなるように制御することで、貯湯タンク１１から外気への放熱量を低減する上で有利になる。
【００６４】
一般に、ヒートポンプ給湯機では、深夜時間帯の沸き上げ運転が完了してから、例えば浴槽の湯張りなどで使用者が湯を多く利用する時刻までの間に、長い時間を要する傾向がある。そのため、深夜時間帯の沸き上げ運転時間がより短く、かつ、沸き上げ運転の完了時刻が深夜時間帯の終了時刻になるべく近いほど、貯湯タンク１１から外気への放熱量が少なくなり、ヒートポンプユニット１００で加熱した湯をより効率的に利用することができる。
【００６５】
本実施の形態のヒートポンプ給湯機は、沸き上げ運転のときの加熱能力に関する情報を使用者に報知する報知手段を備えてもよい。そのような報知手段として、例えば、リモコン５１の表示部５１ａに、沸き上げ運転のときの加熱能力の値あるいは大小に関する情報を表示してもよい。これにより、優れた利便性が得られる。
【００６６】
本実施の形態のヒートポンプ給湯機は、加熱能力の能力可変のモードを有効にするか無効にするかを、使用者その他の人間が選択可能な選択手段を備えてもよい。そのような選択手段として、例えば、リモコン５１に対するボタン操作などによって加熱能力の能力可変のモードを有効にするか無効にするかを選択できるように構成し、制御装置５０は、加熱能力の能力可変のモードが有効にされたときにのみ、加熱能力を可変とする構成としてもよい。機器の動作及び性能を確認するための機器検定時などにおいて、加熱能力が変動しないようにすることが求められる場合がある。そのような場合には、加熱能力の能力可変のモードを無効にすることで、加熱能力の変動を防止する操作を容易に行うことができる。
【００６７】
本実施の形態において、制御装置５０は、深夜時間帯における沸き上げ運転の開始時における圧縮機１の回転数が、当該沸き上げ運転において沸き上げ温度が目標沸き上げ温度に達した後の圧縮機１の回転数よりも高くなるように制御してもよい。そのようにすることで、以下のような効果が得られる。沸き上げ運転の開始時には圧縮機１の温度及び水冷媒熱交換器２の温度が低いので、圧縮機１の温度及び水冷媒熱交換器２の温度が上昇して、沸き上げ温度が目標沸き上げ温度に達するまでには、ある程度の時間がかかる。その時間は、圧縮機１の回転数が低いほど、長くなる。沸き上げ温度が目標沸き上げ温度に達するまでの時間が長いほど、貯湯タンク１１に流入する中温水の量が多くなる。貯湯タンク１１内の中温水の量が増加することは好ましくない。そこで、沸き上げ温度が目標沸き上げ温度に達するまでの間は、圧縮機１の回転数を高くすれば、沸き上げ温度が目標沸き上げ温度に達するまでの時間を短縮できる。その結果、貯湯タンク１１内に生成する中温水の量を低減することができる。なお、上記のように制御する場合においては、沸き上げ温度が目標沸き上げ温度に達した後の加熱能力が、深夜時間帯における沸き上げ運転の加熱能力に相当するものとする。
【００６８】
本実施の形態において、制御装置５０は、一日のうちで、深夜時間帯における沸き上げ運転での総消費電力量が、昼間時間帯における沸き上げ運転での総消費電力量よりも大きくなるように制御してもよい。これにより、電気料金をより確実に抑制することができる。
【符号の説明】
【００６９】
１  圧縮機、  ２  水冷媒熱交換器、  ３  膨張弁、  ４  空気熱交換器、  ５  ファン、  ６ａ  循環ポンプ、  ６ｂ  追焚用ポンプ、  ７，８，９  切替弁、  １０  切換弁、  １１  貯湯タンク、  １１ａ  高温水取出口、  １１ｂ  高温水流出入口、  １１ｃ  追焚戻し口、  １１ｄ  中温水取出口、  １１ｅ  低温水戻し口、  １１ｆ  取水口、  １１ｇ  給水口、  １２  追焚熱交換器、  １３ａ  入水温度センサ、  １３ｂ  温度センサ、  １３ｃ  外気温度センサ、  １３ｄ  吐出温度センサ、  １３ｅ  吸込温度センサ、  １３ｆ  蒸発温度センサ、  １３ｇ，１３ｈ，１３ｉ，１３ｊ  貯湯温度センサ、  １３ｋ  給水温度センサ、  １３ｌ  給湯温度センサ、  １３ｍ  風呂給湯温度センサ、  １４  制御装置、  １５  給湯混合部、  １７ａ  給湯流量センサ、  １７ｂ  風呂給湯流量センサ、  ５０  制御装置、  ５１  リモコン、  ５１ａ  表示部、  ５１ｂ  操作部、  ５２  給湯熱量算出手段、  １００  ヒートポンプユニット、  １０１  冷媒回路、  ２００  貯湯ユニット、  ２０１  貯湯回路、  ２０２  追焚回路、  ２０３  給湯回路
【図１】
2020091092.tif 000003
【図２】
2020091092.tif 000004
【図３】
2020091092.tif 000005
【図４】
2020091092.tif 000006
【図５】
2020091092.tif 000007
【図６】
2020091092.tif 000008